(57)【要約】【課題】香りで着信を通知する通信機器では出力された香りが残り、いわゆる嗅覚の疲労や順応により、香りを識別することが困難になっている。よって、嗅覚の疲労や順応を回避し、利用者に香りを用いて着信を知らせることができる通信機器を提供する。【解決手段】外部との通信を行う通信機器であって、制御部１２が着信を検出すると、発臭部２０より香りを発生させ利用者に着信を通知する。そして、当該着信に利用者が応答したとき、または、当該着信が放棄されたことを検出すると消臭部２１より消臭成分を発生させ香りを消臭する。【選択図】図１
2012109755.tif 000002
【特許請求の範囲】
【請求項１】
外部との通信を行う通信機器において、着信を検出する着信検出手段と、前記着信を検出したときに香りを発する発臭手段と、前記着信に応答したことを検出する応答検出手段と、前記着信が放棄されたことを検出する放棄検出手段と、前記応答を検出したとき又は前記放棄を検出したときに消臭成分を発する消臭手段とを備えたことを特徴とする芳香で着信を通知する通信機器。
【請求項２】
請求項１に記載の通信機器において、前記発臭手段で発する香りは複数の種類から選択して発することができ、前記消臭手段で発する消臭成分は前記選択された香りに対応した成分であることを特徴とする芳香で着信を通知する通信機器。
【請求項３】
請求項２に記載の通信機器において、前記選択は前記着信検出手段により検出された着信の種別に応じて選択されることを特徴とする芳香で着信を通知する通信機器。
【請求項４】
外部との通信を行う通信機器の着信通知方法であって、着信を検出するステップと、前記着信を検出したときに香りを発するステップと、前記着信に応答したことを検出するステップと、前記着信が放棄されたことを検出するステップと、前記応答を検出したとき又は前記放棄を検出したときに消臭成分を発するステップとを備えたことを特徴とする芳香で着信を通知する通信機器の着信通知方法。
【請求項５】
請求項４に記載の通信機器の着信通知方法であって、前記香りを発生するステップで発する香りは複数の種類から選択して発することができ、前記消臭成分を発するステップで発する消臭成分は前記選択された香りに対応した成分であることを特徴とする芳香で着信を通知する通信機器の着信通知方法。
【請求項６】
請求項５に記載の通信機器の着信通知方法であって、前記選択は前記着信を検出するステップにより検出された着信の種別に応じて選択されることを特徴とする芳香で着信を通知する通信機器の着信通知方法。
【請求項７】
外部との通信を行う通信機器であって、着信を検出する着信検出手段と、所定の香りを発する発臭手段と、前記発臭手段が発した香りを消臭するまたは一般的な臭いを消臭する成分を発する消臭手段とを有し、前記着信検出手段が着信を検出した場合に、当該着信の発信元が予め定められた発信元であったならば、または前記着信に応答した後に予め定められた特定コードを受信したならば、前記発臭手段または前記消臭手段を自動的に起動することを特徴とする芳香で着信を通知する通信機器。
【発明の詳細な説明】
【技術分野】
【０００１】
本発明は、携帯電話機等の通信機器の着信通知に関するものであり、特に芳香で着信を通知する通信機器に関するものである。
【背景技術】
【０００２】
従来、携帯電話機等の移動体通信端末では音声電話やメールの着信を利用者に知らせる着信通知の手段としては、音、光、および、振動が一般的に用いられていた。例えば、音声電話やメールの着信があったときに予め設定した音楽や合成音を出力したり、ＬＥＤなどを発光させたり、移動体通信端末自体を振動させたりしていた。しかし、移動体通信端末を使用する環境の中には、上記の音、光、および、振動による着信通知には適しない環境が存在する。例えば、音で着信通知する場合はコンサート会場などの静寂な場所では使用することができない。また、光で着信通知する場合はカバンの中など利用者の視覚に入らない場所では着信を利用者に知らせることができない。さらに、振動で着信通知する場合はカバンの中など利用者の肌身から離した場所に移動体通信端末を収納しておくと振動が利用者に伝わらず、着信を利用者に知らせることができない。
【０００３】
そこで、上記の音、光、および、振動に代わる手段として、香り（芳香）を用いて着信を知らせるようにした移動体通信端末が知られている（例えば、特許文献１）。また、香りを発生させるときに効率的な向きに出力することができる移動体通信端末もある（例えば、特許文献２）。
【先行技術文献】
【特許文献】
【０００４】
【特許文献１】特開２００２−６４５９４号公報
【特許文献２】特開２００７−９６８６１号公報
【発明の概要】
【発明が解決しようとする課題】
【０００５】
しかしながら、上記公報に開示されている移動体通信端末では、出力された香り（芳香）が端末機器の周囲に残ってしまい、連続して着信があり、同じ香りが発生しても、いわゆる「嗅覚の疲労や順応」により、香りを識別することが困難になり、着信を利用者に知らせることができないおそれがあった。したがって、本発明が解決しようとする課題は、いわゆる「嗅覚の疲労や順応」を回避し、利用者に香りを用いて着信を知らせることができる通信機器を提供することである。
【課題を解決するための手段】
【０００６】
上記課題を解決するために、本発明は、外部との通信を行う通信機器において、着信を検出する着信検出手段と、前記着信を検出したときに香りを発する発臭手段と、前記着信に応答したことを検出する応答検出手段と、前記着信が放棄されたことを検出する放棄検出手段と、前記応答を検出したとき又は前記放棄を検出したときに消臭成分を発する消臭手段とを備えたことを特徴とするものである。
【０００７】
また、本発明は、前記通信機器において、前記発臭手段で発する香りは複数の種類から選択して発することができ、前記消臭手段で発する消臭成分は前記選択された香りに対応した成分であることを特徴とするものである。
【０００８】
そして、本発明は、前記通信機器において、前記選択は前記着信検出手段により検出された着信の種別に応じて選択されることを特徴とするものである。
【０００９】
さらに、本発明は、外部との通信を行う通信機器の着信通知方法であって、着信を検出するステップと、前記着信を検出したときに香りを発するステップと、前記着信に応答したことを検出するステップと、前記着信が放棄されたことを検出するステップと、前記応答を検出したとき又は前記放棄を検出したときに消臭成分を発するステップとを備えたことを特徴とするものである。
【００１０】
また、本発明は、前記着信通知方法であって、前記香りを発生するステップで発する香りは複数の種類から選択して発することができ、前記消臭成分を発するステップで発する消臭成分は前記選択された香りに対応した成分であることを特徴とするものである。
【００１１】
そして、本発明は、前記着信通知方法であって、前記選択は前記着信を検出するステップにより検出された着信の種別に応じて選択されることを特徴とするものである。
【００１２】
また、本発明は、外部との通信を行う通信機器であって、着信を検出する着信検出手段と、所定の香りを発する発臭手段と、前記発臭手段が発した香りを消臭するまたは一般的な臭いを消臭する成分を発する消臭手段とを有し、前記着信検出手段が着信を検出した場合に、当該着信の発信元が予め定められた発信元であったならば、または前記着信に応答した後に予め定められた特定コードを受信したならば、前記発臭手段または前記消臭手段を自動的に起動することを特徴とするものである。
【発明の効果】
【００１３】
本発明によれば、香り（芳香）で着信を通知した後、当該着信に応答したとき、または、当該着信に応答できない場合に発呼側が放棄したときに消臭成分を発することで残り香を消し、いわゆる「嗅覚の疲労や順応」を回避して利用者に香りを用いて着信を知らせることができる。また、発する香りにより、リラクゼーション効果も期待できる。
【００１４】
さらに本発明によれば、同一室内に複数の通信機器が設置されている場合でも残り香を消すことができ、他人の迷惑になることも無いため、携帯電話機以外の電話機（ビジネスホンのボタン電話機、ＰＢＸの多機能電話機、単独電話機）にも適用することができる。そして、電話機系ではなく、ビジネスホンの主装置、ＰＢＸ、ＶｏＩＰアダプタ等の本体系装置（通信機器）にも適用することができる。
【図面の簡単な説明】
【００１５】
【図１】本発明に係る携帯電話機１０の一構成例を示す機能ブロック図である。
【図２】本発明に係る発臭部２０及び消臭部２１の一構成例を示す概略構成図である。
【図３】本発明に係る音声電話又はメールを受信した着信時に芳香を発し、その後消臭成分を発するときの動作例を示すフローチャートである。
【発明を実施するための形態】
【００１６】
以下、本発明の実施形態について説明する。以下の実施形態では、通信機器のうち携帯電話機に適用した場合を例にあげて説明する。しかし、本発明はこれに限定されない。例えば、一般家庭用の電話機、ビジネスホンの主装置又はボタン電話機、ＰＢＸの本体又は内線電話機（多機能電話機を含む）、ＶｏＩＰアダプタの本体又は内線電話機（多機能電話機を含む）、ＳＩＰサーバ本体又は内線電話機（多機能電話機含む）、タブレット型コンピュータ、モバイルコンピュータ等の通信機器にも使用できる。また、通信網としては携帯電話網を例にあげて説明しているが、ＰＳＴＮ、ＮＧＮ等の通信網においても有効に利用することができる。
【００１７】
まず、図１を用いて、本発明に係る携帯電話機１０の一構成例を示す機能ブロック図を説明する。
【００１８】
携帯電話機１０は、少なくともアンテナ１１と、無線部１２と、送話部１３と、受話部１４と、スピーカ部１５と、表示部１６と、操作部１７と、記憶部１８と、制御部１９と、発臭部２０と、消臭部２１とを有して構成される。
【００１９】
無線部１２は、携帯電話網を利用した無線通信を行う部分であり、制御部１９の制御により、アンテナ１１を介して携帯電話機用として予め定められた所定の周波数帯域の電波にて携帯電話網の基地局と無線通信を行う機能を有している。なお、無線部１２による無線通信に際し、制御部１９の制御により、操作部１７の各キーは携帯電話機１０の利用者（所持者）が通話する相手先電話番号等の情報を入力するために用いられ、表示部１６には相手先電話番号や通話時間、通話料金等の情報が表示される。
【００２０】
送話部１３は、マイクロフォン（マイク）等で構成され、音声を電気信号に変換し、無線部１２へ渡される。受話部１４は、レシーバ等で構成され、無線部１２より受けた電気信号を音声に変換し、携帯電話機１０の所持者の通話の用に供する。
【００２１】
スピーカ部１５は、着信音や着メロ、あるいは着信通知用の歌、等を送出する。
【００２２】
記憶部１８は、電話番号や電話帳データ、臭いの種類、臭いに対応した消臭成分、着信の種別（音声電話、メール、ＴＶ電話、特定の相手からの着信、他）等を記憶する。
【００２３】
制御部１９は、無線部１２を制御し、基地局からのデータを解析し、自己携帯電話機への着信（電話又はメール）があったことを検出すると発臭部２０を制御し、芳香（臭い）を発し、着信を通知する。なお、携帯電話機１０の所持者の好みにより、着信通知を通常の着信音や着メロ、あるいは着信通知用の歌等、または振動伝達器（バイブレータ）にすることもできる。
【００２４】
そして、制御部１９は当該着信に利用者（所有者）が応答したとき又は当該着信が放棄されたことを検出すると消臭部２１を制御し、消臭成分を発する。
【００２５】
図２は、発臭部２０及び消臭部２１の一構成例を示す概略構成図である。発臭手段を構成する発臭部２０は、出力対象の所定の臭い（芳香）を発生する部分である。発臭部２０は、例えば図示したように、複数の種類の臭いの要素それぞれが詰められた芳香カートリッジ容器２０１（図２では、２０１−１、２０１−２〜２０１−ｎと表示）、複数の臭いの要素から選択されたものが混合される混合部（チャンバ）２０２と、混合部２０２で混合された臭いを含む気体を機器の外部に出力（噴出）するための気流発生手段としての電動ファン２０３とを備えている。混合部２０２と各芳香カートリッジ容器２０１との間には、制御部１９で開閉制御可能な図示しないシャッターが設けられている。どのシャッターを開いて、どのような臭いを合成して出力するかを指定する臭い合成用データは、他の各種データと関連付けて記憶部１８に記憶されている。
【００２６】
例えば、音声電話の着信の場合とメール着信があった場合とで異なる臭いを出力するように、臭い合成用データや各シャッターの開閉制御データを音声電話の着信及びメール着信の種別データと関連付けて記憶しておく。また、音声電話やメールの発信元ごとに出力する臭いを異ならせるように、各通信先情報（電話帳データ情報）の一項目として、臭い合成用データや各シャッターの開閉制御データを、音声電話、メール、インターネット配信情報等の発信元から取得するようにする。
【００２７】
また、発臭部２０には、携帯電話機１０の外側の面全体を構成する平面上の外壁面に先端が位置するノズル管２０５が連結されている。ノズル管２０５と混合部（チャンバ）２０２との間には、ノズル先端への気流をオン・オフする電磁弁２０４が設けられている。この電磁弁をオン（開放）すると、ノズル管２０５の先端から臭い（芳香）を出力（噴出）することができる。
【００２８】
消臭部２１は、発臭部２０と概略構成は同じだが、芳香カートリッジ容器２０１の中には消臭剤を詰めるところが異なる。また、消臭剤も消臭成分が異なるものを複数種類用意しておく。そして、消臭成分のデータは、前記臭い合成用データと関連付けて記憶部１８に記憶されている。なお、消臭成分としては、発生した香りに対応する成分ではなくて、一般的な消臭成分を用いても良い。
【００２９】
消臭部２１は、発臭部２０とは別に設けてもよいし、発臭部２０の芳香カートリッジ２０１の中の一部（２０１−１、２０１−２〜２０１−ｎのどれかで１又は２以上のところ）に消臭成分を詰めることでも良い。
【００３０】
図３は、携帯電話機１０において音声電話又はメールの着信時に臭い（芳香）を出力し、それを消臭するときの動作例を示すフローチャートである。この動作例では、携帯電話機１０の制御部１９が着信を検出すると（Ｓ３０）、所定の芳香カートリッジ容器（以下、芳香容器ともいう。）のシャッターを開放し（Ｓ３１）、電磁弁（以下、発臭電磁弁ともいう。）を開放する（Ｓ３２）。
【００３１】
次に、利用者が着信応答したか（Ｓ３３）、着信が放棄されたか（Ｓ３４）を監視し、応答又は放棄を検出したときは、芳香容器のシャッターを閉じ、発臭電磁弁を閉じる（Ｓ３５）。次に、所定の消臭容器（上述したように、芳香カートリッジ容器に消臭剤を詰めたものをいう。）のシャッターを開放し（Ｓ３６）、消臭電磁弁を開放する（Ｓ３７）。そして、所用時間経過後（Ｓ３８）に、消臭容器のシャッターを閉じ、消臭電磁弁を閉じる（Ｓ３９）。
【００３２】
ここで、所用時間経過のステップ（Ｓ３８）を入れてあるが、これは出力された臭いの種類と、これに対応した消臭成分により異なる値にすることで、より広範囲に運用することができる。
【００３３】
また、臭いが出力された時間を計測しておき、臭いが出力された時間よりも長い時間消臭成分を発することで、より消臭効果を高めることができる。なお、臭いが出力された時間を計測しておき、臭いが出力された時間よりも短い時間で消臭成分を発することにより、残り香として利用（不在時に着信があり、その後帰宅したときに着信があったことが解る）することもできる。
【００３４】
なお、図示していないが、前記着信検出手段が着信を検出した場合に、当該着信の発信元が予め定められた発信元であったならば、または前記着信に応答した後に予め定められた特定コードを受信したならば、前記発臭手段または前記消臭手段を自動的に起動する構成としても良い。
【００３５】
この場合の効果としては、例えば、夫が帰宅する前に事前登録している自分の携帯電話機で、自宅の本装置に電話すると、本装置は鳴動ｏｒ無鳴動で香りを発する。従って妻が当該に着信に応答し損なっても、残り香で夫から電話があったこと（もうすぐ帰る）が分かる。
【００３６】
もう一つの例としては、一人暮らしの女性が、帰宅する前に事前登録している自分の携帯電話機で自宅の本装置に電話すると、本装置は香りまたは消臭成分を発する。これにより帰宅前に室内を加臭／消臭して快適にしておくことができる。
【符号の説明】
【００３７】
１０      携帯電話機
１１      アンテナ
１２      無線部
１３      送話部
１４      受話部
１５      スピーカ部
１６      表示部
１７      操作部
１８      記憶部
１９      制御部
２０      発臭部
２１      消臭部
【図１】
2012109755.tif 000003
【図２】
2012109755.tif 000004
【図３】
2012109755.tif 000005